(57)【要約】【課題】境目部分の歯茎が痩せて下がっている場合等、境目部分の弱った歯茎に、テーパーブリッスルの先端部を、より優しく当てることができる歯ブラシを提供する。【解決手段】植毛台１１は、毛丈の高い内側毛束１５ａ，１５ｂが植設されている内側毛束領域１７と、毛丈の低い外側毛束１５ｃ，１５ｄが植設されている、内側毛束領域１７の外周部分の外側毛束領域１８とを備える。内側毛束１５ａ，１５ｂを構成するテーパーブリッスル１６の先端を連ねて形成される仮想の先端内側ブラシ面２０は、その外周縁部が、外側に向かって下方に傾斜する内側縁部傾斜面２０ａとなっており、外側毛束１５ｃ，１５ｄを構成するテーパーブリッスル１６の先端を連ねて形成される仮想の先端外側ブラシ面２１は、その外周縁部が、外側に向かって下方に傾斜する外側縁部傾斜面２１ａとなっている。【選択図】図２
2018198911.tif 000002
【特許請求の範囲】
【請求項１】
先端に向かって断面積を減少させたテーパー形状部分を備える複数本のテーパーブリッスルを束ねてなる毛束が、植毛台に形成された複数の植毛穴に各々植設されている歯ブラシであって、
前記植毛台は、毛丈の高い内側毛束が複数植設されている内側毛束領域と、前記内側毛束よりも毛丈の低い外側毛束が複数植設されている、前記内側毛束領域を囲んでこれの外周部分に配置される外側毛束領域とを備えており、
前記内側毛束領域に植設された複数の内側毛束を構成する前記テーパーブリッスルの先端を連ねて形成される先端内側ブラシ面は、その外周縁部が、外側に向かって下方に傾斜する傾斜面となっており、
前記外側毛束領域に植設された複数の外側毛束を構成する前記テーパーブリッスルの先端を連ねて形成される先端外側ブラシ面は、その外周縁部が、外側に向かって下方に傾斜する傾斜面となっており、
前記先端内側ブラシ面の最上部は、前記先端外側ブラシ面の最上部よりも高くなっている歯ブラシ。
【請求項２】
前記内側毛束領域に植設された複数の内側毛束を構成する前記テーパーブリッスルの先端を連ねて形成される先端内側ブラシ面は、前記植毛台の短手方向から見た際に、滑らかに連続して上方に凸の弧状に湾曲する湾曲凸面となっている請求項１記載の歯ブラシ。
【請求項３】
前記内側毛束領域に植設された複数の内側毛束を構成する前記テーパーブリッスルの先端を連ねて形成される先端内側ブラシ面は、前記植毛台の長手方向から見た際に、滑らかに連続して上方に凸の弧状に湾曲する湾曲凸面となっている請求項１又は２記載の歯ブラシ。
【請求項４】
前記外側毛束領域に植設された複数の外側毛束を構成する前記テーパーブリッスルの先端を連ねて形成される先端外側ブラシ面は、前記植毛台の長手方向から見た際に、滑らかに連続して上方に凸の弧状に湾曲する湾曲凸面となっている請求項１〜３のいずれか１項記載の歯ブラシ。
【請求項５】
前記外側毛束領域に植設された複数の外側毛束を構成する前記テーパーブリッスルの先端を連ねて形成される先端外側ブラシ面は、前記植毛台の短手方向から見た際に、滑らかに連続して上方に凸の弧状に湾曲する湾曲凸面となっている請求項１〜４のいずれか１項記載の歯ブラシ。
【請求項６】
前記内側毛束領域において、前記内側毛束が植設される複数の内側植毛穴うちの、最外周に配置される内側植毛穴の外縁を結んだ内側周縁線によって囲まれる領域の面積を、前記内側植毛穴の数で割った値である、内側植毛穴の平均占有単位面積が、１．５〜４ｍｍ２となっている請求項１〜５のいずれか１項記載の歯ブラシ。
【請求項７】
前記内側植毛穴の数が、１０〜７０個である請求項６記載の歯ブラシ。
【請求項８】
前記内側植毛穴の前記植毛台の植毛面における横断面積の平均が、０．６〜１．４ｍｍ２である請求項６又は７記載の歯ブラシ。
【請求項９】
前記外側植毛穴の前記植毛台の植毛面における横断面積の平均が、０．６〜１．４ｍｍ２である請求項６〜８のいずれか1項記載の歯ブラシ。
【発明の詳細な説明】
【技術分野】
【０００１】
本発明は、歯ブラシに関し、特に、テーパーブリッスルを束ねてなる毛束が、植毛台に形成された複数の植毛穴に植設されている歯ブラシに関する。
【背景技術】
【０００２】
歯ブラシは、複数本のブリッスルを束ねてなるタフト（毛束）を、例えば植毛台の植毛面に形成された複数の植毛穴に、平線を打ち込む方法や熱で融着させる方法等によって植設固定することにより形成される。また、歯ブラシは、前歯、奥歯等の歯の種類や、歯間部、歯面部、歯頸部、歯裏部等の歯の部位に応じた適切な刷掃を効率良く行って、歯垢等を効果的に除去できるように、また刷掃時に良好な感触が得られるように、毛束の配置やブリッスルの毛先の形状等に様々な工夫がなされている。  
【０００３】
近年、例えば中高年層の中で、歯茎の腫れや炎症について悩みを抱えている方が増えている。歯茎に悩みを抱えている方は、歯茎が腫れていたり炎症を起こしていたりすることで、歯ブラシを用いて歯面や歯茎をブラッシングする際に、痛みを感じ易い。このため、歯茎や歯茎に近接する部分を、磨きたくとも磨けなくなったり、恐る恐る磨いたりすることなどによって、特に歯と歯茎の境目部分に付着した歯垢や細菌類等を除去したり、これらの境目部分に歯磨き剤の有効成分を効率良く送達させたりすることが困難になる場合がある。
【０００４】
一方、歯茎への優しい感触が得られるようにした歯ブラシとして、先端に向かって断面積を減少させたテーパー形状部分を先端部分に備えるテーパーブリッスルを、植毛台に植設される毛束を構成するブリッスルとして用いた歯ブラシが、種々開発されている（例えば、特許文献１、特許文献２、特許文献３参照）。
【０００５】
また、これらのテーパーブリッスルを用いた従来の歯ブラシによれば、テーパーブリッスルは、先端がラウンド形状のブリッスルと比較してソフトな感触が得られることから、歯茎への優しい感触は得られるものの、ブラッシング圧を強く感じたり、ブラッシング圧にむらが生じ易くなったりすることで、特に歯茎が腫れていたり歯茎に炎症を起こしている場合には、痛みを感じ易くなる。このようなことから、歯茎へのより一層優しい感触が得られるようにすることで、特に歯茎が腫れていたり歯茎に炎症を起こしていたりする場合でも、痛みを感じにくくしながら歯や歯茎を効果的に磨くことを可能にする歯ブラシが開発されている（例えば、特許文献４参照）
【先行技術文献】
【特許文献】
【０００６】
【特許文献１】実開平６−１５４号公報
【特許文献２】特開２０１２−３４８４５号公報
【特許文献３】特開２００６−１８１１７４号公報
【特許文献４】特開２０１６−９７１９１号公報
【発明の概要】
【発明が解決しようとする課題】
【０００７】
特許文献４の歯ブラシによれば、歯茎が腫れていたり歯茎に炎症を起こしていたりする場合でも、痛みを感じにくくしながら歯や歯茎を効果的に磨くことが可能になると共に、歯と歯茎の境目部分のみならず、歯の表面も効果的に刷掃することが可能になるが、例えば歯茎の腫れや炎症が進行して、歯肉炎や歯周炎を生じていることで、歯周ポケットが深くなったり歯槽骨の破壊が進行したりしていて、境目部分の歯茎が痩せて下がっている場合や、義歯（ブリッジ、部分入れ歯等）を取り付けたことで、ケアしにくい部分となっている歯茎と義歯の土台との間の隙間部分に、ものが挟まり易くなっている場合に、これらの境目部分の弱った歯茎に、テーパーブリッスルの先端部を、より優しく当てることができるようにしてブラッシングへの恐怖感を低減することを可能にすると共に、テーパーブリッスルの先端部を、ケアしにくい歯茎と義歯の土台との隙間部分に当て易くして、汚れをしっかりと掻き落とすことを可能にする新たな技術の開発が望まれている。
【０００８】
本発明は、歯周ポケットが深くなったり歯槽骨の破壊が進行したりして、境目部分の歯茎が痩せて下がっている場合や、義歯（ブリッジ、部分入れ歯等）を取り付けたことで、ケアしにくい部分となっている歯茎と義歯の土台との間の隙間部分に、ものが挟まり易くなっている場合に、これらの境目部分の弱った歯茎に、テーパーブリッスルの先端部を、より優しく当てることができると共に、テーパーブリッスルの先端部を、ケアしにくい歯茎と義歯の土台との隙間部分に当て易くすることのできる歯ブラシに関する。
【課題を解決するための手段】
【０００９】
本発明は、先端に向かって断面積を減少させたテーパー形状部分を備える複数本のテーパーブリッスルを束ねてなる毛束が、植毛台に形成された複数の植毛穴に各々植設されている歯ブラシであって、前記植毛台は、毛丈の高い内側毛束が複数植設されている内側毛束領域と、前記内側毛束よりも毛丈の低い外側毛束が複数植設されている、前記内側毛束領域を囲んでこれの外周部分に配置される外側毛束領域とを備えおり、前記内側毛束領域に植設された複数の内側毛束を構成する前記テーパーブリッスルの先端を連ねて形成される（仮想の）先端内側ブラシ面は、その外周縁部が、外側に向かって下方に傾斜する傾斜面となっており、前記外側毛束領域に植設された複数の外側毛束を構成する前記テーパーブリッスルの先端を連ねて形成される（仮想の）先端外側ブラシ面は、その外周縁部が、外側に向かって下方に傾斜する傾斜面となっており、前記先端内側ブラシ面の最上部は、前記先端外側ブラシ面の最上部よりも高くなっている歯ブラシを提供することにより、上記目的を達成したものである。
【発明の効果】
【００１０】
本発明の歯ブラシによれば、歯周ポケットが深くなったり歯槽骨の破壊が進行したりして、境目部分の歯茎が痩せて下がっている場合や、義歯（ブリッジ、部分入れ歯）を取り付けたことで、ケアしにくい部分となっている歯茎と義歯の土台との間の隙間部分に、ものが挟まり易くなっている場合でも、これらの境目部分の弱った歯茎に、テーパーブリッスルの先端部を、より優しく当てることができると共に、テーパーブリッスルの先端部を、ケアしにくい歯茎と義歯の土台との隙間部分に当て易くすることができる。
【図面の簡単な説明】
【００１１】
【図１】本発明の好ましい一実施形態に係る歯ブラシの側面図である。
【図２】本発明の好ましい一実施形態に係る歯ブラシの要部略示平面図である。
【図３】本発明の好ましい一実施形態に係る歯ブラシの要部略示側面図である。
【図４】本発明の好ましい一実施形態に係る歯ブラシを、図１の左側から見た要部略示正面図である。
【図５】本発明の好ましい一実施形態及び他の実施形態に係る歯ブラシの要部のイメージ図である。
【図６】本発明の好ましい一実施形態及び他の実施形態に係る歯ブラシを使用して、歯と歯茎の境目部分の歯茎が痩せて低くなっている部分を刷掃する状況の説明図である。
【図７】本発明の好ましい他の実施形態に係る歯ブラシを説明する、（ａ）は要部略示平面図、（ｂ）は要部略示側面図、（ｃ）は要部略示正面図である。
【図８】（ａ）は実施例１の歯ブラシの要部側面図、（ｂ）は比較例１の歯ブラシの要部略示平面図及び要部略示側面図である。
【図９】義歯まわり歯垢除去モデルの斜視図である。
【図１０】実施例１の歯ブラシを用いて歯垢除去モデルをブラッシングしている状態の説明図である。
【図１１】（ａ）は実施例１の歯ブラシを用いたブラッシング後の第２小臼歯の表面の状態の説明図、（ｂ）は比較例１の歯ブラシを用いたブラッシング後の第２小臼歯の表面の状態の説明図である。
【発明を実施するための形態】
【００１２】
図１に示す本発明の好ましい一実施形態に係る歯ブラシ１０は、把持部１２と植毛台１１とこれらを連結する首部１３とからなる歯ブラシ本体１９の植毛台１１に形成された複数の植毛穴１４ａ，１４ｂ，１４ｃ，１４ｄ（図２参照）に、複数本のテーパーブリッスル１６を束ねてなる毛束（タフト）１５ａ，１５ｂ，１５ｃ，１５ｄ（図３、図４参照）を、各々植設（植毛）することによって構成される。本実施形態の歯ブラシ１０は、植毛台１１の中央部分の植毛領域（内側毛束領域１７）、及び内側毛束領域１７の外周部分に配置される植毛領域（外側毛束領域１８）における、テーパーブリッスル１６の先端を連ねて形成される仮想の先端ブラシ面２０，２１（図３、図４参照）が、所望の形状となるように工夫することによって、例えば歯茎の腫れや炎症が進行して、歯肉炎や歯周炎を生じていることで、歯周ポケットが深くなったり歯槽骨の破壊が進行したりしていて、歯５０と歯茎５１の境目部分５２の歯茎５１が痩せて下がっている場合、言い換えれば低くなっている場合や（図６参照）、義歯（ブリッジ、部分入れ歯等）を取り付けたことで、ケアしにくい部分となっている歯茎と義歯の土台との間の隙間部分に、ものが挟まり易くなっている場合に、これらの境目部分の弱った歯茎に、テーパーブリッスル１６の先端部を、より優しく当てることができるようにしてブラッシングへの恐怖感を低減することを可能にすると共に、テーパーブリッスル１６の先端部を、ケアしにくい歯茎と義歯の土台との隙間部分に当て易くして、汚れをしっかりと掻き落とすことができるようにする機能を備えている。
【００１３】
そして、本実施形態の歯ブラシ１０は、先端に向かって断面積を減少させたテーパー形状部分を備える複数本のテーパーブリッスル１６を束ねてなる毛束１５ａ，１５ｂ，１５ｃ，１５ｄが、植毛台１１に形成された複数の植毛穴１４ａ，１４ｂ，１４ｃ，１４ｄに各々植設されている歯ブラシであって、図２〜図５に示すように、植毛台１１は、毛丈の高い内側毛束１５ａ，１５ｂが複数植設されている内側毛束領域１７と、内側毛束１５ａ，１５ｂよりも毛丈の低い外側毛束１５ｃ，１５ｄが複数植設されている、内側毛束領域１７を囲んでこれの外周部分に配置される外側毛束領域１８とを備えている。内側毛束領域１７に植設された複数の内側毛束１５ａ，１５ｂを構成するテーパーブリッスル１６の先端を連ねて形成される仮想の先端内側ブラシ面２０は、その外周縁部が、外側に向かって下方に傾斜する傾斜面（内側縁部傾斜面）２０ａとなっており、外側毛束領域２１に植設された複数の外側毛束１５ｃ，１５ｄを構成するテーパーブリッスル１６の先端を連ねて形成される仮想の先端外側ブラシ面２１は、その外周縁部が、外側に向かって下方に傾斜する傾斜面（外側縁部傾斜面）２１ａとなっている。先端内側ブラシ面２０の最上部は、先端外側ブラシ面２１の最上部よりも高くなっている。
【００１４】
また、本実施形態の歯ブラシ１０では、内側毛束領域１７に植設された複数の内側毛束１５ａ，１５ｂを構成するテーパーブリッスル１６の先端を連ねて形成される仮想の先端内側ブラシ面２０は、植毛台１１の短手方向Ｙ（図２参照）から見た際に、滑らかに連続して上方に凸の弧状に湾曲する湾曲凸面となっている。
【００１５】
さらに、本実施形態の歯ブラシ１０では、内側毛束領域１７に植設された複数の内側毛束１５ａ，１５ｂを構成するテーパーブリッスル１６の先端を連ねて形成される仮想の先端内側ブラシ面２０は、植毛台１１の長手方向Ｘ（図２参照）から見た際に、滑らかに連続して上方に凸の弧状に湾曲する湾曲凸面となっている。
【００１６】
本実施形態では、歯ブラシ本体１９は、例えばポリプロピレン、アクリロニトリル、ブタジエン、スチレン共重合体等の合成樹脂を用いて形成することができる。歯ブラシ本体１９の先端部分を構成する植毛台１１は、好ましくは平坦なトラック円形状の植毛面１１ａを備えており、植毛面１１ａに開口して、毛束１５ａ，１５ｂ，１５ｃ，１５ｄが植設される複数の植毛穴１４ａ，１４ｂ，１４ｃ，１４ｄが形成されている。
【００１７】
本実施形態では、植毛台１１のトラック円形状の植毛面１１ａの内側毛束領域１７には、植毛台１１の幅方向（短手方向）Ｙの中央部分に、植毛台１１の長手方向Ｘに連設して、植毛面１１ａにおける横断面形状が好ましくは例えばＲ０．５−１．６（短軸０．５ｍｍ、長軸１．６ｍｍ）のトラック円形状となっている、複数（本実施形態では６箇所）の中央部内側植毛穴１４ａが形成されている。また連設する６箇所の中央部内側植毛穴１４ａの外周部分を囲むようにして、トラック円形状に連設配置された、植毛面１１ａにおける横断面形状が好ましくは例えばφ１．０ｍｍの円形状となっている、複数（本実施形態では１６箇所）の外周部内側植毛穴１４ｂが形成されている。外周部内側植毛穴１４ｂは、中央部内側植毛穴１４ａと植毛台１１の長手方向Ｘの位置がずれていることで、中央部内側植毛穴１４ａに対して千鳥状の配置関係となるように形成されている。
【００１８】
また、本実施形態では、植毛台１１のトラック円形状の植毛面１１ａの外側毛束領域１８には、内側毛束領域１７に形成された１６箇所の外周部内側植毛穴１４ｂの外周部分を囲むようにして、トラック円形状に連設配置された、植毛面１１ａにおける横断面形状が好ましくは例えばφ１．０ｍｍの円形状となっている、複数（本実施形態では２１箇所）の内周部外側植毛穴１４ｃが形成されている。内周部外側植毛穴１４ｃは、外周部内側植毛穴１４ｂと周方向の位置がずれていることで、中央部内側植毛穴１４ａに対して千鳥状の配置関係となるように形成されている。また連設する２１箇所の内周部外側植毛穴１４ｃの外周部分を囲むようにして、トラック円形状に連設配置された、植毛面１１ａにおける横断面形状が好ましくは例えばφ１．０ｍｍの円形状となっている、複数（本実施形態では２６箇所）の外周部外側植毛穴１４ｄが、植毛面１１ａの最外周部分に配置されて形成されている。外周部外側植毛穴１４ｄは、内周部外側植毛穴１４ｃと周方向の位置がずれていることで、内周部外側植毛穴１４ｃに対して千鳥状の配置関係となるように形成されている。
【００１９】
本実施形態では、これらの植毛穴１４ａ，１４ｂ，１４ｃ，１４ｄには、各々の植毛穴１４ａ，１４ｂ，１４ｃ，１４ｄの横断面積に応じた本数のテーパーブリッスル１６を束ねてなる毛束１５ａ，１５ｂ，１５ｃ，１５ｄが、各々挿入固定されて植設されている。各々の毛束１５ａ，１５ｂ，１５ｃ，１５ｄを構成するテーパーブリッスル１６は、好ましくは合成樹脂からなる。テーパーブリッスル１６を形成する合成樹脂としては、ブリッスルに用いられている公知の各種のものを、特に制限なく用いることができ、例えば、ナイロン（登録商標）、ナイロン６等のポリアミド、ポリブチレンテレフタレート等のポリエステル、ポリオレフィン等が挙げられ、好ましくはポリブチレンテレフタレートである。
【００２０】
テーパーブリッスル１６のテーパー形状部分を除いた部分の直径は、例えば１００〜２５０μｍとなっており、好ましくは１２０〜２２０μｍ、より好ましくは１４０〜２００μｍとなっている。テーパーブリッスル１６のテーパー形状部分は、ブリッスルの先端部分を公知の研磨装置を用いて研磨することでテーパー状に先鋭加工したり、ブリッスルの先端部分を公知の溶解溶媒中に所定の深さまで浸漬することでテーパー状に先鋭加工したりすることによって、容易に設けることができる。テーパーブリッスル１６は、好適にはブリッスルの先端部分を溶解溶媒に浸漬して加工して設ける。テーパーブリッスル１６におけるテーパー形状部分の長さは、６〜１０ｍｍとなっていることが好ましく、６〜８ｍｍとなっていることがさらに好ましい。
【００２１】
各々の植毛穴１４ａ，１４ｂ，１４ｃ，１４ｄに毛束１５ａ，１５ｂ，１５ｃ，１５ｄを植設する方法としては、公知の各種の植毛方法を採用することができる。例えば、（１）毛束を平線で２つ折りにして打ち込む方法や、（２）毛束の片端部を加熱して溶融塊を形成した後、その溶融塊を配置した金型内に溶融樹脂を注入して植毛台を射出形成する方法、（３）植毛孔（貫通孔）を有する植毛基部の該植毛孔に毛束を挿入する挿入工程、該植毛孔から突出する毛束の片端部を加熱して溶融塊を形成する熱加工工程、及び該溶融塊を被覆する被覆工程を経て、毛束が植設された状態の植毛台や歯ブラシを得る方法等を用いることができる。
【００２２】
毛束１５ａ，１５ｂ，１５ｃ，１５ｄを植設する方法は、比較的小径の植毛穴に毛束を効率良く植毛でき、しかも植毛台の厚さを小さくできることにより、奥歯の磨きやすさ、操作性が向上する観点、及び外観に優れる等の観点から、毛束の片端部に溶融塊を形成する上記（２）、（３）の方法を含む融着植毛を採用することが好ましく、上記（３）の方法を採用することがより好ましい。上記（３）の方法の具体例としては、特開平９−１８２６３２号公報や特開２００３−３１０３５３号公報に記載の方法等を挙げることができる。特開２００３−３１０３５３号公報の記載の方法においては、毛束の片端部を、レーザービーム等の非接触熱源で加熱して、溶融塊を形成すると共にその溶融塊と植毛孔の開口周縁部とを融着させるようになっている。
【００２３】
毛束１５ａ，１５ｂ，１５ｃ，１５ｄの植毛穴１４ａ，１４ｂ，１４ｃ，１４ｄへの充填率（テーパーブリッスル１６のテーパー形状部分を除いた部分の横断面積の合計／植毛穴の横断面積）は、０．６〜０．８５％となっていることが好ましく、０．６５〜０．８５％となっていることがさらに好ましい。
【００２４】
植毛穴１４ａ，１４ｂ，１４ｃ，１４ｄに植設される毛束１５ａ，１５ｂ，１５ｃ，１５ｄは、植毛台１１の植毛面１１ａからテーパーブリッスル１６の先端までの高さ（毛丈）が、各々の毛束１５ａ，１５ｂ，１５ｃ，１５ｄごとの平均高さとして、例えば７〜１６ｍｍとすることが好ましい。また、毛丈の高い内側毛束１５ａ，１５ｂの場合、例えば９〜１６ｍｍとすることが好ましく、毛丈の低い外側毛束１５ｃ，１５ｄの場合、例えば７〜１２ｍｍとすることが好ましい。
【００２５】
なお、植毛穴１４ａ，１４ｂ，１４ｃ，１４ｄに植設される毛束１５ａ，１５ｂ，１５ｃ，１５ｄは、内側毛束１５ａ，１５ｂの毛丈の平均高さが、外側毛束１５ｃ，１５ｄの毛丈の平均高さよりも高い高さとなるように設計されている。
【００２６】
そして、本実施形態の歯ブラシ１０では、上述のように、内側毛束領域１７に植設された複数の内側毛束１５ａ，１５ｂを構成するテーパーブリッスル１６の先端を連ねて形成される仮想の先端内側ブラシ面２０は、植毛台１１の短手方向Ｙから見た際に、滑らかに連続して上方に凸の弧状に湾曲する湾曲凸面となっていると共に（図３参照）、植毛台１１の長手方向Ｘから見た際に、滑らかに連続して上方に凸の弧状に湾曲する湾曲凸面となっている（図４参照）。これらによって、内側毛束領域１７に植設された複数の内側毛束１５ａ，１５ｂを構成するテーパーブリッスル１６の先端を連ねて形成される仮想の先端内側ブラシ面２０は、その外周縁部が、外側に向かって下方に傾斜する内側縁部傾斜面２０ａとなっている（図３、図４参照）。
【００２７】
内側毛束領域１７に植設された複数の内側毛束１５ａ，１５ｂを構成するテーパーブリッスル１６の先端を連ねて形成される仮想の先端内側ブラシ面２０の外周縁部が、外側に向かって下方に傾斜する内側縁部傾斜面２０ａとなっていることにより、弱った歯茎への刺激を緩和することが可能になると共に、テーパーブリッスル１６の高い耐久性を実現することが可能になる。また、汚れ落ちの効果を向上させることが可能になると共に、使用時の優しい磨き心地を実現することが可能になる。このような観点から、内側縁部傾斜面２０ａの傾斜角度は、植毛台１１の植毛面１１ａと平行な面に対して、１５〜４５度となっていることが好ましい。
【００２８】
また、仮想の先端内側ブラシ面２０が、植毛台１１の短手方向Ｙから見た際に、滑らかに連続して上方に凸の弧状に湾曲する湾曲凸面となっていることにより、一層効果的に、弱った歯茎への刺激を緩和することが可能になると共に、テーパーブリッスル１６の高い耐久性を実現することが可能になる。また、一層効果的に、汚れ落ちの効果を向上させることが可能になると共に、使用時の優しい磨き心地を実現することが可能になる。このような観点から、植毛台１１の短手方向Ｙから見た先端内側ブラシ面２０の湾曲凸面の曲率半径は、６〜３０ｍｍとなっていることが好ましい。
【００２９】
さらに、仮想の先端内側ブラシ面２０が、植毛台１１の長手方向Ｘから見た際に、滑らかに連続して上方に凸の弧状に湾曲する湾曲凸面となっていることにより、一層効果的に、弱った歯茎への刺激を緩和することが可能になると共に、テーパーブリッスル１６の高い耐久性を実現することが可能になる。また、一層効果的に、汚れ落ちの効果を向上させることが可能になると共に、使用時の優しい磨き心地を実現することが可能になる。このような観点から、植毛台１１の長手方向Ｘから見た先端内側ブラシ面２０の湾曲凸面の曲率半径は、６〜１８ｍｍとなっていることが好ましい。
【００３０】
また、本実施形態の歯ブラシ１０では、外側毛束領域１８に植設された複数の外側毛束１５ｃ，１５ｄを構成するテーパーブリッスル１６の先端を連ねて形成される仮想の先端外側ブラシ面２１は、その外周縁部が、外側に向かって下方に傾斜する外側縁部傾斜面２１ａとなっており、傾斜した外周縁部によって囲まれる内側領域は、略平坦な面となっている。
【００３１】
外側毛束領域１８に植設された複数の外側毛束１５ｃ，１５ｄを構成するテーパーブリッスル１６の先端を連ねて形成される仮想の先端外側ブラシ面２１の外周縁部が、外側に向かって下方に傾斜する外側縁部傾斜面２１ａとなっていることにより、一層効果的に、弱った歯茎への刺激を緩和することが可能になると共に、テーパーブリッスル１６の高い耐久性を実現することが可能になる。また、一層効果的に、汚れ落ちの効果を向上させることが可能になると共に、使用時の優しい磨き心地を実現することが可能になる。このような観点から、外側縁部傾斜面２１ａの傾斜角度は、植毛台１１の植毛面１１ａと平行な面に対して、１０〜３５度となっていることが好ましい。
【００３２】
さらに、本実施形態では、先端内側ブラシ面２０の最上部は、先端外側ブラシ面２１の最上部よりも、好ましくは０．５〜４ｍｍ、さらに好ましくは０．８〜２．５ｍｍ高くなっている。先端内側ブラシ面２０の最上部が、先端外側ブラシ面２１の最上部よりも高くなっていることにより、一層効果的に、弱った歯茎への刺激を緩和することが可能になると共に、テーパーブリッスル１６の高い耐久性を実現することが可能になる。また、一層効果的に、汚れ落ちの効果を向上させることが可能になると共に、使用時の優しい磨き心地を実現することが可能になる。
【００３３】
さらにまた、本実施形態の歯ブラシ１０では、内側毛束領域１７において、内側毛束１５ａ，１５ｂが植設される複数の内側植毛穴１４ａ，１４ｂうちの、最外周に配置される外周部内側植毛穴１４ｂの外縁を結んだ仮想の内側周縁線２２（図２参照）によって囲まれる領域の面積を、内側植毛穴１４ａ，１４ｂの数で割った値である、内側植毛穴１４ａ，１４ｂの平均占有単位面積が、１．５〜４ｍｍ２となっていることが好ましい。内側毛束領域１７における内側植毛穴１４ａ，１４ｂの平均占有単位面積が、１．５〜４ｍｍ２となっていることにより、植毛台１１の耐久性や製造性を向上させることが可能になると共に、植毛穴１４ａ，１４ｂの相互の距離を短くして密度の高い植毛を実現することで、歯ブラシ１０の刷掃圧を軽減し、且つテーパーブリッスル１６の尖鋭な先端による刺激をも緩和することが可能になる。
【００３４】
すなわち、本実施形態によれば、例えば図６に示すように、歯ブラシ１０を用いて、歯５０と歯茎５１の境目部分５２と共に、当該境目部分５２に近接する歯５０の表面を歯茎５１の表面と同時に刷掃する場合、植毛台１１の長手方向Ｘを横方向に向けて、歯５０と歯茎５１の境目部分５２の方向に植毛台１１を沿わせながら、歯ブラシ１０のテーパーブリッスル１６による先端内側ブラシ面２０や先端外側ブラシ面２１を、歯５０や歯茎５１に押し付けた状態で、歯磨きを行うのが一般的である。その一方で、歯５０の並びは外側に凸の湾曲凸面に沿って横方向に配置されていることから、歯磨きを行なう際に、植毛台１１の内側毛束領域１７の先端内側ブラシ面２０を歯５０や歯茎５１に押し付けた状態とすることで、自然に力を入れ易くなって、最も安定した状態で歯磨き行なうことが可能になる。
【００３５】
本実施形態の歯ブラシ１０は、このような、歯５０と歯茎５１の境目部分５２を歯５０や歯茎５１と共に刷掃する際に、歯５０や歯茎５１に押し付けられる主要な部分となると考えられる、植毛台１１の内側毛束領域１７の内側毛束１５ａ，１５ｂについて、好ましくはこれらの内側毛束１５ａ，１５ｂが植設される内側植毛穴１４ａ，１４ｂの、内側毛束領域２０における平均占有単位面積等に改良がなされていると共に、内側毛束領域１７に植設された複数の内側毛束１５ａ，１５ｂを構成するテーパーブリッスル１６の先端を連ねて形成される仮想の先端内側ブラシ面２０や、外側毛束領域１８に植設された複数の外側毛束１５ｃ，１５ｄを構成するテーパーブリッスル１６の先端を連ねて形成される仮想の先端外側ブラシ面２１について改良がなされている。
【００３６】
これらによって、本実施形態の歯ブラシ１０によれば、後述するように、例えば歯周ポケットが深くなったり歯槽骨の破壊が進行したりして、境目部分５２の歯茎５１が痩せて下がっている場合や（図６参照）、義歯（ブリッジ、部分入れ歯等）を取り付けたことで、ケアしにくい部分となっている歯茎と義歯の土台との間の隙間部分に、ものが挟まり易くなっている場合でも、これらの境目部分の弱った歯茎に、テーパーブリッスル１６の先端部を、より優しく当てることが可能になると共に、テーパーブリッスル１６の先端部を、ケアしにくい歯茎と義歯の土台との隙間部分に当て易くすることが可能になる。
【００３７】
また、本実施形態では、内側毛束領域１７における内側植毛穴１４ａ，１４ｂの数が、１０〜７０個となっていることが好ましい。これによって、歯ブラシ１０による刷掃圧を軽減して、テーパーブリッスル１６による感触を改善することが可能になると共に、植毛台１１の耐久性と口腔内における操作性を、バランスよく保持することが可能になる。
【００３８】
さらに、本実施形態では、内側毛束領域１７の内側植毛穴１４ａ，１４ｂの、植毛台１１の植毛面１１ａにおける横断面積の平均が、０．６〜１．４ｍｍ２となっていることが好ましい。これによって、個々の内側植毛穴１４ａ，１４ｂの占める面積をより小さくすることが可能になると共に、内側植毛穴１４ａ，１４ｂ間の距離を短くすることにより、歯ブラシ１０による刷掃圧を軽減して、テーパーブリッスル１６に特有の刺激を軽減することが可能になる。
【００３９】
さらにまた、本実施形態では、外側毛束領域１８の外側植毛穴１４ｃ，１４ｄの、植毛台１１の植毛面１１ａにおける横断面積の平均が、０．６〜１．４ｍｍ２となっていることが好ましい。これによって、植毛台１１の製造性を向上させることが可能になると共に、内側毛束領域１７における刷掃圧力の軽減を図ることが可能になり、且つテーパーブリッスル１６による感触を良好にすることが可能になる。
【００４０】
また、本実施形態の歯ブラシ１０では、外周部内側植毛穴１４ｂは、図２に示すように、中央部内側植毛穴１４ａに対して千鳥状の配置関係となるように形成されているので、これらの内側植毛穴１４ａ，１４ｂに植毛された、内側毛束１５ａ，１５ｂを構成するテーパーブリッスル１６によって、一層効果的に、歯茎と義歯の土台との間の隙間部分などの、細かい隙間の汚れ落ちの効果を向上させることが可能になると共に、使用時の優しい磨き心地を実現することが可能になる。
【００４１】
同様に、外周部外側植毛穴１４ｄは、図２に示すように、内周部外側植毛穴１４ｃに対して千鳥状の配置関係となるように形成されているので、これらの外側植毛穴１４ｃ，１４ｄに植毛された、内側毛束１５ｃ，１５ｄを構成するテーパーブリッスル１６によって、一層効果的に、歯茎と義歯の土台との間の隙間部分などの、細かい隙間の汚れ落ちの効果を向上させることが可能になると共に、使用時の優しい磨き心地を実現することが可能になる。
【００４２】
そして、上述の構成を備える本実施形態の歯ブラシ１０によれば、歯周ポケットが深くなったり歯槽骨の破壊が進行したりして、境目部分の歯茎が痩せて下がっている場合や、義歯（ブリッジ、部分入れ歯等）を取り付けたことで、ケアしにくい部分となっている歯茎と義歯の土台との間の隙間部分に、ものが挟まり易くなっている場合でも、これらの境目部分の弱った歯茎に、テーパーブリッスル１６の先端部を、より優しく当てることが可能になると共に、テーパーブリッスル１６の先端部を、ケアしにくい歯茎と義歯の土台との隙間部分に当て易くすることが可能になる。
【００４３】
すなわち、本実施形態の歯ブラシ１０によれば、植毛台１１は、毛丈の高い内側毛束１５ａ，１５ｂが複数植設されている内側毛束領域１７と、毛丈の低い外側毛束１５ｃ，１５ｄが複数植設されている外側毛束領域１８とを備えており、内側毛束領域１７に植設された複数の内側毛束１５ａ，１５ｂを構成するテーパーブリッスル１６の先端を連ねて形成される仮想の先端内側ブラシ面２０は、その外周縁部が、外側に向かって下方に傾斜する内側縁部傾斜面２０ａとなっており、外側毛束領域２１に植設された複数の外側毛束１５ｃ，１５ｄを構成するテーパーブリッスル１６の先端を連ねて形成される仮想の先端外側ブラシ面２１は、その外周縁部が、外側に向かって下方に傾斜する外側縁部傾斜面２１ａとなっており、先端内側ブラシ面２０の最上部は、先端外側ブラシ面２１の最上部よりも高くなっている。また、先端内側ブラシ面２０と先端外側ブラシ面２１は、連続する面とはなっていない。先端内側ブラシ面２０の最下部は、好ましくは、先端外側ブラシ面２１の最上部よりも高くなっている。また好ましくは、先端内側ブラシ面２０の内側縁部傾斜面２０ａの外側に向かって下方に傾斜する傾きは、先端外側ブラシ面２１の内周縁部の平坦な面又は外側に向かって下方に傾斜する傾斜面よりも、大きな傾きとなっている。
【００４４】
これによって、本実施形態の歯ブラシ１０によれば、使用時に、毛丈の高い内側毛束領域１７のテーパーブリッスル１６と毛丈の低い外側毛束領域１８のテーパーブリッスル１６は、相互に働くことで、テーパーブリッスル１６の先端を連ねて形成された部分が面接触で当たりやすくなり、歯茎へ刺激を与えないブラッシングが可能になるので、例えば歯茎が痩せて下がっている境目部分の弱った歯茎に、テーパーブリッスル１６の先端部を、より優しく当てることが可能になって、痛みを感じにくくしながら歯や弱った歯茎を効果的に磨くことが可能になると共に、歯と歯茎の境目部分のみならず、歯の表面も効果的に刷掃することが可能になる。また、使用時に、毛丈の高い内側毛束領域１７のテーパーブリッスル１６と毛丈の低い外側毛束領域１８のテーパーブリッスル１６は、相互に働くことで、過度な毛束１５ａ，１５ｂ，１５ｃ，１５ｄの倒れ込みが防止される。そのため、特に内側毛束１５ａ，１５ｂの刷掃性が高まることで、歯面に対する優れた汚れ落ち効果や、義歯まわりの磨きにくいすき間に対する優れた汚れ落とし効果を実現することが可能になる。
【００４５】
図７（ａ）〜（ｃ）は、本発明の好ましい他の実施形態に係る歯ブラシ１０’を例示するものである。本他の実施形態の歯ブラシ１０’は、上記実施形態の歯ブラシ１０では、外側毛束領域１８に植設された複数の外側毛束１５ｃ，１５ｄを構成するテーパーブリッスル１６の先端を連ねて形成される仮想の先端外側ブラシ面２１は、その外周縁部を除いて、略平坦な面となっているのに対して、複数の外側毛束１５ｃ，１５ｄを構成するテーパーブリッスル１６の先端を連ねて形成される仮想の先端外側ブラシ面２１’が、図７（ｂ）に示すように、植毛台１１の短手方向Ｙから見た際に、滑らかに連続して上方に凸の弧状に湾曲する湾曲凸面となっている。また複数の外側毛束１５ｃ，１５ｄを構成するテーパーブリッスル１６の先端を連ねて形成される仮想の先端外側ブラシ面２１’が、図７（ｃ）に示すように、植毛台１１の長手方向Ｘから見た際に、滑らかに連続して上方に凸の弧状に湾曲する湾曲凸面となっている。
【００４６】
これらによって、本他の実施形態の歯ブラシ１０’は、外側毛束領域１８に植設された複数の外側毛束１５ｃ，１５ｄを構成するテーパーブリッスル１６の先端を連ねて形成される仮想の先端内側ブラシ面２１は、その外周縁部が、外側に向かって下方に傾斜する内側縁部傾斜面２１ａとなっている。
【００４７】
なお、本他の実施形態の歯ブラシ１０’では、上記実施形態の歯ブラシ１０と異なる構成部分について主として説明しており、同様の構成部分については同一の符号を付して説明を省略している。特に言及しない構成部分については、上記実施形態の歯ブラシ１０に関する説明が適宜適用される。
【００４８】
本他の実施形態の歯ブラシ１０’によっても、毛丈の高い複数の内側毛束１５ａ，１５ｂを構成するテーパーブリッスル１６の先端を連ねて形成される仮想の先端内側ブラシ面２０は、その外周縁部が、外側に向かって下方に傾斜する内側縁部傾斜面２０ａとなっており、毛丈の低い複数の外側毛束１５ｃ，１５ｄを構成するテーパーブリッスル１６の先端を連ねて形成される仮想の先端外側ブラシ面２１は、その外周縁部が、外側に向かって下方に傾斜する外側縁部傾斜面２１ａとなっているので、上記実施形態の歯ブラシ１０と同様の作用効果が奏される。
【００４９】
また、本他の実施形態の歯ブラシ１０’によれば、仮想の先端外側ブラシ面２１’が、植毛台１１の短手方向Ｙから見た際に、滑らかに連続して上方に凸の弧状に湾曲する湾曲凸面となっていることにより、一層効果的に、弱った歯茎への刺激を緩和することが可能になると共に、テーパーブリッスル１６の高い耐久性を実現することが可能になる。また、一層効果的に、使用時の優しい磨き心地を実現することが可能になる。このような観点から、植毛台１１の短手方向Ｙから見た先端外側ブラシ面２１’の湾曲凸面の曲率半径は、１０〜４５ｍｍとなっていることが好ましい。
【００５０】
さらに、仮想の先端外側ブラシ面２１’が、植毛台１１の長手方向Ｘから見た際に、滑らかに連続して上方に凸の弧状に湾曲する湾曲凸面となっていることにより、一層効果的に、弱った歯茎への刺激を緩和することが可能になると共に、テーパーブリッスル１６の高い耐久性を実現することが可能になる。また、一層効果的に、使用時の優しい磨き心地を実現することが可能になる。このような観点から、植毛台１１の長手方向Ｘから見た先端外側ブラシ面２１’の湾曲凸面の曲率半径は、１０〜３５ｍｍとなっていることが好ましい。
【００５１】
さらにまた、本他の実施形態の歯ブラシ１０’では、図７（ｃ）に示すように、仮想の先端内側ブラシ面２０や先端外側ブラシ面２１’が、滑らかに連続して湾曲する湾曲凸面となっていることに加えて、テーパーブリッスル１６のテーパー形状部分の長さが例えば５〜１０ｍｍの長さで揃っていることで、テーパー形状部分のテーパー開始部を連ねて形成される仮想の中間テーパー開始断面が、仮想の先端内側ブラシ面２０や先端外側ブラシ面２１’にならった、滑らかに連続して湾曲する湾曲凸面となっている。これによって、本他の実施形態の歯ブラシ１０’によれば、歯と歯茎の境目部分への柔らかい感触や、磨き心地の良さや、或いは毛先の歯周ポケットへの優れた到達感や挿入実感を得ることが可能になる。
【００５２】
なお、本発明は上記各実施形態に限定されることなく種々の変更が可能である。例えば、内側毛束領域１７の内側植毛穴１４ａ，１４ｂは、中央部内側植毛穴１４ａと外周部内側植毛穴１４ｂとで、その大きさや形状が異なっている必要は必ずしも無く、同じ大きさ及び形状となるように形成されていても良い。
【実施例】
【００５３】
以下、実施例及び比較例により、本発明の歯ブラシをさらに詳細に説明するが、本発明は、以下の実施例及び比較例の記載によって何ら制限されるものではない。
【００５４】
〔実施例１の歯ブラシ、比較例１の歯ブラシ〕
図８（ａ）に示す、上記の実施形態の歯ブラシ１０と同様の構成を備える歯ブラシを実施例１の歯ブラシとした。図８（ｂ）に示す、市販品の歯ブラシを比較例１の歯ブラシとした。比較例１の歯ブラシでは、植毛台に形成された複数の植毛穴に複数本のテーパーブリッスルを束ねてなる毛束が各々植設されており、毛丈の高い１２ｍｍの毛丈の内側毛束が複数植設されていている内側毛束領域と、毛丈の低い９．５ｍｍの毛丈の外側毛束が複数植設されている外側毛束領域とを備えており、内側毛束領域に植設された内側毛束を構成するテーパーブリッスルの先端を連ねて形成される先端内側ブラシ面は、平坦な面となっており、外側毛束領域に植設された外側毛束を構成するテーパーブリッスルの先端を連ねて形成される先端外側ブラシ面もまた、平坦な面となっている。
【００５５】
〔義歯まわり（ブリッジ）歯垢除去モデル〕
図９に示すような、義歯まわり（ブリッジ）歯垢除去モデルを作成した。作成した歯垢除去モデルは、下顎奥歯頬側の部分のモデルとなっており、歯周ポケットが深くなったり歯槽骨の破壊が進行したりして、境目部分の歯茎が痩せて低くなっていたり、歯茎が下がって腫れていたりすることで、歯茎が退縮している状態を模している。また、作成した歯垢除去モデルでは、第２小臼歯と第２大臼歯との間にブリッジが装着された状態となっている。
【００５６】
〔義歯まわり（ブリッジ）歯垢除去モデル試験〕
作製した義歯まわり歯垢除去モデルの第２小臼歯の表面全体に、歯垢モデルとして、アルコール系インク（コクヨ製のホワイトボードマーカー）を塗布して３分間放置した。汎用のブラッシングマシーンを用いて、図１０に示すように、実施例１の歯ブラシ及び比較例１により、以下の条件で、歯垢除去モデルの第２小臼歯の部分を丁寧にブラッシングした。各々の歯ブラシによるブラッシング後の第２小臼歯の表面の状態を、図１１（ａ）、（ｂ）に示す。
【００５７】
ブラッシングマシーンの条件
荷重：２００ｇ
ストローク速度：８０ｒｐｍ
ストローク幅：２０ｍｍ
ストローク回数：３０回
【００５８】
図１１（ａ）、（ｂ）に示す義歯まわり歯垢除去モデル試験の試験結果によれば、本発明に係る実施例１の歯ブラシは、比較例１の歯ブラシと比較して、義歯周りの歯垢除去性能に優れていることが判明する。
【００５９】
〔磨き心地の官能評価試験〕
モニター１０名（試験対象：５２〜７６才成人）に上述の実施例１の歯ブラシを使用してもらい、本発明品の歯茎への柔らかさ（歯茎の磨き心地）を、下記の評価基準によって評価した。  
＜評価基準＞
３点：歯茎への刺激がなく使用時にとても柔らかさを感じる。
２点：歯茎への刺激がなく使用時に柔らかさを感じる。
１点：歯茎への刺激をやや感じる。
０点：歯茎への刺激を感じる。
【００６０】
【表１】
2018198911.tif 000003
【００６１】
表１に示す評価結果によれば、本発明に係る実施例１の歯ブラシは、使用時の歯茎への柔らかさに優れ、痛みを感じにくくしながら歯や歯茎を効果的に磨けることが判明する。
【符号の説明】
【００６２】
１０，１０’  歯ブラシ
１１  植毛台
１２  把持部
１３  首部
１４ａ  中央部内側植毛穴
１４ｂ  外周部内側植毛穴
１４ｃ  内周部外側植毛穴
１４ｄ  外周部外側植毛穴
１５ａ，１５ｂ  内側毛束
１５ｃ，１５ｄ  外側毛束
１６  テーパーブリッスル
１７  内側毛束領域
１８  外側毛束領域
１９  歯ブラシ本体
２０  先端内側ブラシ面
２０ａ  内側縁部傾斜面
２１，２１’  先端外側ブラシ面
２１ａ  外側縁部傾斜面
２２  内側周縁線
５０  歯
５１  歯茎
５２  境目部分
Ｘ    植毛台の長手方向
Ｙ    植毛台の短手方向
【図１】
2018198911.tif 000004
【図２】
2018198911.tif 000005
【図３】
2018198911.tif 000006
【図４】
2018198911.tif 000007
【図５】
2018198911.tif 000008
【図６】
2018198911.tif 000009
【図７】
2018198911.tif 000010
【図８】
2018198911.tif 000011
【図９】
2018198911.tif 000012
【図１０】
2018198911.tif 000013
【図１１】
2018198911.tif 000014